(57)【特許請求の範囲】
【請求項１】
光ビームが他の記録層を通過せずに照射される第１記録層と、前記光ビームが前記第１記録層を通過してから照射される第２記録層とを少なくとも備え、前記第１記録層および前記第２記録層のそれぞれは、ユーザがコンテンツデータを記録することが許されるユーザデータ領域と、前記ユーザデータ領域の外部に存在し前記ユーザデータ領域の内周側端部に隣接する内周領域とを有する多層記録ディスクに対し、コンテンツデータを記録する記録装置であって、
(a)  前記第１記録層のユーザデータ領域の内周側内部に、管理情報を記録するための管理情報記録領域を確保する領域確保手段と、
(b)  第１記録層に存在し、
前記管理情報記録領域の外周側外部に位置し、
前記第２記録層の前記内周領域と前記第２記録層の前記ユーザデータ領域との境界位置と交わり前記多層記録ディスクの軸線に対して平行に伸びる直線と、前記第１記録層とが交わる位置を内部に含む調整データ記録領域に調整データを記録する調整データ記録手段と、
(c)  前記コンテンツデータを前記ユーザデータ領域に記録するコンテンツ記録手段であって、前記コンテンツデータをそれぞれ互いに均一な大きさを有する複数のデータブロックに分け、１個のデータブロックを記録する度に、データブロックを記録すべき記録層を変更するコンテンツデータ記録手段と
を備え、
前記コンテンツデータ記録手段が、前記複数のデータブロックのうちの一のデータブロックを前記第２記録層のユーザデータ領域に含まれ前記内周領域に隣接する第２領域に記録するのに先立ち、前記第１記録層において、前記調整データ記録手段は、前記調整データ記録領域に前記調整データを記録し、且つ、前記コンテンツデータ記録手段は、前記調整データ記録領域の外周側端部に隣接する位置から、前記第２領域の外周側端部よりも外周側までの第１領域に前記複数のデータブロックのうちの最初に記録すべきデータブロックを記録することを特徴とする記録装置。
【請求項２】
前記第２記録層の前記内周領域と前記第２記録層の前記ユーザデータ領域との境界位置と、前記調整データ記録領域の外周側端部位置との間には、前記光ビームの層間偏向の影響を除去ないし軽減するための所定距離が前記多層記録ディスクの半径方向において設定されていることを特徴とする請求項１に記載の記録装置。
【請求項３】
前記所定距離は９１８４セクタであることを特徴とする請求項２に記載の記録装置。
【請求項４】
前記調整データ記録領域の内周側端部は前記管理情報記録領域と隣接していることを特徴とする請求項１に記載の記録装置。
【請求項５】
前記調整データはダミーデータであることを特徴とする請求項１に記載の記録装置。
【請求項６】
光ビームが他の記録層を通過せずに照射される第１記録層と、前記光ビームが前記第１記録層を通過してから照射される第２記録層とを少なくとも備え、前記第１記録層および前記第２記録層のそれぞれは、ユーザがコンテンツデータを記録することが許されるユーザデータ領域と、前記ユーザデータ領域の外部に存在し前記ユーザデータ領域の内周側端部に隣接する内周領域とを有する多層記録ディスクに対し、コンテンツデータを記録する記録方法であって、
(a)  前記第１記録層のユーザデータ領域の内周側内部に、管理情報を記録するための管理情報記録領域を確保する領域確保工程と、
(b)  第１記録層に存在し、
前記管理情報記録領域の外周側外部に位置し、
前記第２記録層の前記内周領域と前記第２記録層の前記ユーザデータ領域との境界位置と交わり前記多層記録ディスクの軸線に対して平行に伸びる直線と、前記第１記録層とが交わる位置を内部に含む
調整データ記録領域に調整データを記録する調整データ記録工程と、
(c)  前記コンテンツデータを前記ユーザデータ領域に記録するコンテンツ記録工程であって、前記コンテンツデータをそれぞれ互いに均一な大きさを有する複数のデータブロックに分け、１個のデータブロックを記録する度に、データブロックを記録すべき記録層を変更するコンテンツデータ記録工程と
を備え、
前記コンテンツデータ記録工程が、前記複数のデータブロックのうちの一のデータブロックを前記第２記録層のユーザデータ領域に含まれ前記内周領域に隣接する第２領域に記録するのに先立ち、前記第１記録層において、前記調整データ記録工程は、前記調整データ記録領域に前記調整データを記録し、且つ、前記コンテンツデータ記録工程は、前記調整データ記録領域の外周側端部に隣接する位置から、前記第２領域の外周側端部よりも外周側までの第１領域に前記複数のデータブロックのうちの最初に記録すべきデータブロックを記録することを特徴とする記録方法。
【請求項７】
請求項１に記載の記録装置としてコンピュータを機能させることを特徴とするコンピュータプログラム。
【発明の詳細な説明】
【技術分野】
【０００１】
本発明は、多層記録ディスクに対してコンテンツデータなどの情報を記録する記録装置および記録方法に関する。
【背景技術】
【０００２】
現在、コンテンツデータなどの情報を記録する情報記録媒体としてＤＶＤが普及している。さらに、現在においては記録層を複数備える多層記録媒体の中で、とりわけ２層ＤＶＤ−Ｒ（ＤＶＤ−Ｒデュアルレイヤー）の開発が進められている。【０００３】
２層ＤＶＤ−Ｒは、片面に２層の記録層を有する追記型ＤＶＤである。２層ＤＶＤ−Ｒについては、コンテンツデータの記録フォーマットとしてＶＲフォーマットが適用される。また、２層ＤＶＤ−Ｒについては、コンテンツデータの記録方法として、いわゆるレイヤージャンプレコーディング（Format 4）を適用することができる。【０００４】
レイヤージャンプレコーディングでは、それぞれ数Ｍないし数十Ｍバイトの大きさを有する複数のデータブロックにコンテンツデータを分ける。そして、第１番目のデータブロックを第１記録層（レイヤー０）に記録し、第二番目のデータブロックを第２記録層（レイヤー１）に記録し、第３番目のデータブロックを第１記録層に記録するといったように、１個のデータブロックを記録する度に、データブロックを記録すべき記録層を変更する。
【発明の開示】
【発明が解決しようとする課題】
【０００５】
レイヤージャンプレコーディングでは、コンテンツデータを複数のデータブロックに分け、そして、１個のデータブロックを記録する度に、データブロックを記録すべき記録層を変更する。このため、コンテンツデータが第１記録層と第２記録層とに分散して記録される。それゆえ、コンテンツデータの管理が複雑になる。この結果、ＤＶＤレコーダなどの記録装置に搭載するレコーディングソフトウェアの開発の困難性が増すおそれがある。【０００６】
また、レイヤージャンプレコーディングでは、コンテンツデータが第１記録層と第２記録層とに分散して記録される。このため、コンテンツデータをまず第１記録層にシーケンシャルに記録し終えた後に、続いてコンテンツデータの残部を第２記録層にシーケンシャルに記録するといった記録方法（Format 1）と比較して、２層ＤＶＤ−Ｒのユーザデータ領域を有効に活用することが難しい。それゆえ、２層ＤＶＤ−Ｒの実際の記録容量が、２層ＤＶＤ−Ｒが有する物理的な最大記録容量（例えば約８．５Ｇバイト）よりも小さくなるおそれがある。【０００７】
さらに、２層ＤＶＤ−ＲないしＶＲフォーマットに関する物理的なまたは規格上の制約的事項を考慮すると、これらの課題の克服は困難性を増す。【０００８】
すなわち、２層ＤＶＤ−ＲないしＶＲフォーマットに関する物理的なまたは規格上の制約的事項は、概ね次のとおりである。
（１）  第２記録層のある領域にデータを安定的に記録するためには、それ以前に、ディスクの軸方向において第２記録層の当該領域と向かい合う位置にある第１記録層の領域に何らかのデータを記録しておくことが望まれる。
（２）  互いに異なる記録層に記録されたデータブロック間の距離は、所定距離（例えば６５５３６セクタ）以下でなければ、これらのデータブロック間におけるシームレス再生が保証されない。
（３）  第１記録層におけるリードイン領域とユーザデータ領域との間の境界位置と、第２記録層におけるリードアウト領域とユーザデータ領域との間の境界位置とがディスクの半径方向において一致していない。つまり、第１記録層と第２記録層との間で、ユーザデータ領域の大きさおよび端部位置が異なる。
（４）  ２層ＤＶＤ−Ｒに対しデータの記録を開始するとき、第１記録層のユーザデータ領域の最内周部分に、管理情報（ファイルシステムおよびＶＭＧＩ（Video Manager Information））を記録するための管理情報記録領域を確保しなければならない。しかも、管理情報記録領域は、２層ＤＶＤ−Ｒのファイナライズが行われるまで、未記録状態が維持される。【０００９】
事項（１）によれば、レイヤージャンプレコーディングを行うにあたり、個々のデータブロックの大きさに気を配らなければならない。例えば、第１記録層に記録したデータブロックよりも大きなデータブロックを第２記録層に記録しようとすると、このデータブロックを第２記録層に安定的に記録することができなくなるおそれが生じる。【００１０】
事項（２）によれば、レイヤージャンプレコーディングを行うにあたり、順次に再生すべきデータブロックの記録位置に気を配らなければならない。例えば、第１番目に再生すべきデータブロックの末尾と第２番目に再生すべきデータブロックの先頭との間の距離が所定距離（例えば６５５３６セクタ）よりも大きいときには、これらデータブロック間においてシームレス再生が保証されなくなる。【００１１】
事項（３）によれば、個々のデータブロックの記録位置や個々のデータブロックの大きさをうまく調整しなければならない。例えば、第１記録層のユーザデータ領域の内周端部位置と第２記録層のユーザデータ領域の内周端部位置とが一致していないので、個々のデータブロックの記録位置や個々のデータブロックの大きさをうまく調整しないと、半端な空き領域が第２記録層の最内周部分に形成されてしまうおそれがある。【００１２】
事項（４）によれば、各記録層のユーザデータ領域の内周側内部において、個々のデータブロックの記録位置や個々のデータブロックの大きさをうまく調整しなければならない。例えば、管理情報記録領域を確保することにより、第１記録層のユーザデータ領域に最初に記録すべきデータブロックの記録開始位置が外周側にシフトするので、各記録層のユーザデータ領域の内周側内部において、個々のデータブロックの記録位置や個々のデータブロックの大きさをうまく調整しないと、レイヤージャンプレコーディングを効率よく行うことができなくなるおそれがある。【００１３】
レイヤージャンプレコーディングを行うにあたり、このような事項（１）ないし（４）を満足するように、個々のデータブロックの記録位置や個々のデータブロックの大きさなどを決めるとすれば、コンテンツデータが第１記録層と第２記録層とに複雑に分散して記録されるおそれがある。コンテンツデータが第１記録層と第２記録層とに複雑に分散して記録されると、コンテンツデータの管理の複雑性が増し、レコーディングソフトウェアの開発の困難性が増す。また、ユーザデータ領域の有効活用が難しくなり、２層ＤＶＤ−Ｒの実際の記録容量が大幅に小さくなるおそれがある。【００１４】
本発明は上記に例示したような問題点に鑑みなされたものであり、本発明の第１の課題は、コンテンツデータの管理を簡単に行うことが可能なレイヤージャンプレコーディングを実現することができる記録装置、記録方法およびコンピュータプログラムを提供することにある。【００１５】
また、本発明の第２の課題は、多層記録ディスクのユーザデータ領域を有効に活用することが可能なレイヤージャンプレコーディングを実現することができる記録装置、記録方法およびコンピュータプログラムを提供することにある。
【課題を解決するための手段】
【００１６】
上記課題を解決するために本発明の記録装置は、光ビームが他の記録層を通過せずに照射される第１記録層と、前記光ビームが前記第１記録層を通過してから照射される第２記録層とを少なくとも備え、前記第１記録層および前記第２記録層のそれぞれは、ユーザがコンテンツデータを記録することが許されるユーザデータ領域と、前記ユーザデータ領域の外部に存在し前記ユーザデータ領域の内周側端部に隣接する内周領域とを有する多層記録ディスクに対し、コンテンツデータを記録する記録装置であって、(a)  前記第１記録層のユーザデータ領域の内周側内部に、管理情報を記録するための管理情報記録領域を確保する領域確保手段と、(b)  第１記録層に存在し、前記管理情報記録領域の外周側外部に位置し、前記第２記録層の前記内周領域と前記第２記録層の前記ユーザデータ領域との境界位置と交わり前記多層記録ディスクの軸線に対して平行に伸びる直線と、前記第１記録層とが交わる位置を内部に含む調整データ記録領域に調整データを記録する調整データ記録手段と、(c)  前記コンテンツデータを前記ユーザデータ領域に記録するコンテンツ記録手段であって、前記コンテンツデータをそれぞれ互いに均一な大きさを有する複数のデータブロックに分け、１個のデータブロックを記録する度に、データブロックを記録すべき記録層を変更するコンテンツデータ記録手段とを備え、前記コンテンツデータ記録手段が、前記複数のデータブロックのうちの一のデータブロックを前記第２記録層のユーザデータ領域に含まれ前記内周領域に隣接する第２領域に記録するのに先立ち、前記第１記録層において、前記調整データ記録手段は、前記調整データ記録領域に前記調整データを記録し、且つ、前記コンテンツデータ記録手段は、前記調整データ記録領域の外周側端部に隣接する位置から、前記第２領域の外周側端部よりも外周側までの第１領域に前記複数のデータブロックのうちの最初に記録すべきデータブロックを記録する。
【００１７】
上記課題を解決するために本発明の記録方法は、光ビームが他の記録層を通過せずに照射される第１記録層と、前記光ビームが前記第１記録層を通過してから照射される第２記録層とを少なくとも備え、前記第１記録層および前記第２記録層のそれぞれは、ユーザがコンテンツデータを記録することが許されるユーザデータ領域と、前記ユーザデータ領域の外部に存在し前記ユーザデータ領域の内周側端部に隣接する内周領域とを有する多層記録ディスクに対し、コンテンツデータを記録する記録方法であって、(a)  前記第１記録層のユーザデータ領域の内周側内部に、管理情報を記録するための管理情報記録領域を確保する領域確保工程と、(b)  第１記録層に存在し、前記管理情報記録領域の外周側外部に位置し、前記第２記録層の前記内周領域と前記第２記録層の前記ユーザデータ領域との境界位置と交わり前記多層記録ディスクの軸線に対して平行に伸びる直線と、前記第１記録層とが交わる位置を内部に含む調整データ記録領域に調整データを記録する調整データ記録工程と、(c)  前記コンテンツデータを前記ユーザデータ領域に記録するコンテンツ記録工程であって、前記コンテンツデータをそれぞれ互いに均一な大きさを有する複数のデータブロックに分け、１個のデータブロックを記録する度に、データブロックを記録すべき記録層を変更するコンテンツデータ記録工程とを備え、前記コンテンツデータ記録工程が、前記複数のデータブロックのうちの一のデータブロックを前記第２記録層のユーザデータ領域に含まれ前記内周領域に隣接する第２領域に記録するのに先立ち、前記第１記録層において、前記調整データ記録工程は、前記調整データ記録領域に前記調整データを記録し、且つ、前記コンテンツデータ記録工程は、前記調整データ記録領域の外周側端部に隣接する位置から、前記第２領域の外周側端部よりも外周側までの第１領域に前記複数のデータブロックのうちの最初に記録すべきデータブロックを記録する。
【００１８】
上記課題を解決するために本発明のコンピュータプログラムは、本発明の記録装置（但し、その各種態様を含む）としてコンピュータを機能させる。【００１９】
上記課題を解決するために、コンピュータ読取可能な媒体内のコンピュータプログラム製品は、コンピュータにより実行可能なプログラム命令を明白に具現化し、該コンピュータを、本発明の記録装置（但し、その各種態様を含む）として機能させる。【００２０】
本発明のコンピュータプログラム製品によれば、当該コンピュータプログラム製品を格納するＲＯＭ、ＣＤ−ＲＯＭ、ＤＶＤ−ＲＯＭ、ハードディスク等の記録媒体から、当該コンピュータプログラム製品をコンピュータに読み込めば、或いは、例えば伝送波である当該コンピュータプログラム製品を、通信手段を介してコンピュータにダウンロードすれば、上述した本発明の記録装置を比較的容易に実施可能となる。更に具体的には、当該コンピュータプログラム製品は、上述した本発明の記録装置として機能させるコンピュータ読取可能なコード（或いはコンピュータ読取可能な命令）から構成されてよい。【００２１】
本発明のこのような作用及び他の利得は次に説明する実施形態及び実施例から明らかにされる。
【図面の簡単な説明】
【００２２】
【図１】本発明の記録装置の実施形態を示すブロック図である。
【図２】図１中の記録装置が取り扱う２層ＤＶＤ−Ｒの構造を示す説明図である。
【図３】２層ＤＶＤ−Ｒの第１記録層と第２記録層のそれぞれに、２層ＤＶＤ−Ｒの軸方向に互いに向かい合うようにデータが記録された状態を示す説明図である。
【図４】２層ＤＶＤ−Ｒにおける互いに異なる記録層に複数のデータブロックが記録された状態を示す説明図である。
【図５】図１中の記録装置の記録動作を示すフローチャートである。
【図６】図１中の記録装置の記録動作によりコンテンツデータが記録された２層ＤＶＤ−Ｒの記録状態を示す説明図である。
【図７】図１中の記録装置の記録動作によりコンテンツデータが記録された２層ＤＶＤ−Ｒの他の記録状態を示す説明図である。
【図８】本発明の記録装置の実施例を示すブロック図である。
【符号の説明】
【００２３】
１０、１００  記録装置
１１  領域確保部
１２  調整データ記録部
１３  コンテンツデータ記録部
【発明を実施するための最良の形態】
【００２４】
以下、本発明を実施するための最良の形態について実施形態毎に順に図面に基づいて説明する。【００２５】
図１は、本発明の記録装置の実施形態を示している。図１中の記録装置１０は、２層ＤＶＤ−Ｒに対し、コンテンツデータの記録を行う記録装置である。記録装置１０は、コンテンツデータの記録方法として、レイヤージャンプレコーディング（Format 4）を採用している。記録装置１０は例えばＤＶＤレコーダである。【００２６】
なお、本発明の記録装置は、ＤＶＤレコーダに限られず、他のレコーダでもよく、あるいはコンテンツデータを２層記録ディスクに記録する機能を備えたコンピュータやカーナビゲーションシステムでもよい。【００２７】
また、以下の説明では、本発明を２層記録媒体に対し情報の記録を行う記録装置に適用した場合を例にあげるが、本発明は、２層記録媒体だけでなく３層以上の多層記録媒体に適用することもできる。【００２８】
記録装置１０がコンテンツデータを記録するために用いる２層記録ディスクは２層ＤＶＤ−Ｒ（ＤＶＤ−Ｒデュアルレイヤー）である。なお、本発明の記録装置がコンテンツデータを記録するために用いる２層記録ディスクは、２層ＤＶＤ−Ｒに限られない。例えば、２層ＤＶＤ＋Ｒ、２層ＤＶＤ−ＲＷ、２層ＤＶＤ＋ＲＷ、２層ブルーレイディスク、２層ＨＤ−ＤＶＤなど、２層の記録層を有する他の追記型または書き換え可能型記録ディスクでもよい。【００２９】
記録装置１０が２層ＤＶＤ−Ｒに記録するコンテンツデータは、例えば映像データ、音声データ、文書データ、数値データなどが含まれる。また、このコンテンツデータには、映像データ、音声データなどの再生を管理または制御するための管理情報または制御情報などが含まれる。【００３０】
図１に示すように、記録装置１０は、領域確保部１１、調整データ記録部１２およびコンテンツデータ記録部１３を備えている。【００３１】
領域確保部１１は、２層ＤＶＤ−Ｒの第１記録層のユーザデータ領域の内周側内部に、管理情報を記録するための管理情報記録領域を確保する。【００３２】
調整データ記録部１２は、調整データ領域に調整データを記録する。調整データ領域は、２層ＤＶＤ−Ｒの第１記録層に存在し、管理情報記録領域の外周側外部に位置する。さらに、調整データ領域は、２層ＤＶＤ−Ｒの第２記録層のリードアウト領域と第２記録層のユーザデータ領域との境界位置と交わり２層ＤＶＤ−Ｒの軸線に対し平行に伸びる直線と、第１記録層とが交わる位置をその内部に含む。【００３３】
コンテンツデータ記録部１３は、２層ＤＶＤ−Ｒの第１記録層において調整データ記録領域の外周側端部に隣接する位置からコンテンツデータを記録する。コンテンツデータ記録部１３は、レイヤージャンプレコーディング方式に従ってコンテンツデータの記録を行う。【００３４】
領域確保部１１、調整データ記録部１２およびコンテンツデータ記録部１３は、例えば、ＣＰＵ（Central Processing Unit）、ＭＰＵ（Micro Processing Unit）などの演算処理装置、ＲＯＭ（Read Only Memory）、ＲＡＭ（Random Access Memory）などの記憶装置、光ピックアップなどの光学系を制御する制御装置、光ピックアップのトラッキング制御、フォーカシング制御および２層ＤＶＤ−Ｒの回転制御などを行う駆動制御系を制御する制御装置などにより構成されている。【００３５】
図２は、２層ＤＶＤ−Ｒの構造を示している。図２に示すように、２層ＤＶＤ−Ｒ２０は、第１記録層２１、第２記録層２２およびスペース層２３を備えている。第１記録層２１は、光ビームが他の記録層を通過せずに照射される記録層（レイヤー０）である。第２記録層２２は、光ビームが第１記録層２１を通過してから照射される記録層（レイヤー１）である。スペース層２３は、第１記録層２１と第２記録層２２との間に設けられた層であり、記録層ではない。図２中の一点鎖線ＡＸは２層ＤＶＤ−Ｒ２０の軸線を示している。２層ＤＶＤ−Ｒ２０は軸線ＡＸを回転軸として回転する。【００３６】
第１記録層２１は、ユーザデータ領域２４、リードイン領域２５およびミドル領域２６を有している。ユーザデータ領域２４は、ユーザがコンテンツデータを記録することの許されている領域である。リードイン領域２５は、ユーザデータ領域２４の外部に存在し、ユーザデータ領域２４の内周側端部に隣接している。ミドル領域２６は、ユーザデータ領域２４の外部に存在し、ユーザデータ領域２４の外周側端部に隣接している。【００３７】
第２記録層２２は、ユーザデータ領域２７、リードアウト領域２８およびミドル領域２９を有している。ユーザデータ領域２７は、ユーザがコンテンツデータを記録することの許されている領域である。リードアウト領域２８は、ユーザデータ領域２７の外部に存在し、ユーザデータ領域２７の内周側端部に隣接している。ミドル領域２９は、ユーザデータ領域２７の外部に存在し、ユーザデータ領域２７の外周側端部に隣接している。【００３８】
リードイン領域２５とユーザデータ領域２４との境界位置（厳密にはユーザデータ領域２４の先頭位置）Ａと、リードアウト領域２８とユーザデータ領域２７との境界位置（厳密にはユーザデータ領域２７の末尾位置）Ｂ−１とは、２層ＤＶＤ−Ｒ２０の半径方向において一致していない。すなわち、境界位置Ａと境界位置Ｂ−１とは、２層ＤＶＤ−Ｒ２０の軸方向において完全には向かい合っていない。【００３９】
図３は、２層ＤＶＤ−Ｒ２０の第１記録層２１と第２記録層２２とのそれぞれに、２層ＤＶＤ−Ｒ２０の軸方向に互いに向かい合うようにデータが記録された状態を示している。光ビームの層間偏向の影響を除去ないし軽減することなどのために、２層ＤＶＤ−Ｒ２０には次のような制約的事項がある。すなわち、図３に示すように、第２記録層２２のある領域ＡＲ２にデータＤＴ２を安定的に記録するためには、それ以前に、２層ＤＶＤ−Ｒ２０の軸方向において領域ＡＲ２と向かい合う位置にある第１記録層２１の領域ＡＲ１に何らかのデータＤＴ１を記録しておくことが望まれる。【００４０】
さらに、第２記録層２２の領域ＡＲ２の先頭位置ＰからデータＤＴ２の安定的な記録を開始するためには、それ以前に、第１記録層２１の領域ＡＲ１の末尾位置Ｑ−１まで何らかのデータＤＴ１を記録しておくことが望まれる。この位置Ｑ−１は位置Ｐよりも２層ＤＶＤ−Ｒ２０の外周側に位置する。２層ＤＶＤ−Ｒ２０の半径方向における位置Ｐと位置Ｑ−１との間の距離Ｌ１は、例えば１６進法表現で約２３Ｅ０ｈセクタであり、１０進法表現で約９１８４セクタである。以下、１６進法で数値を表現するときには数値に「ｈ」を付する。【００４１】
さらに、第２記録層２２の領域ＡＲ２の末尾位置Ｒ−１までデータＤＴ２の安定的な記録を行うためには、それ以前に、第１記録層２１の領域ＡＲ１の先頭位置Ｓから何らかのデータＤＴ１を記録しておくことが望まれる。この位置Ｓは位置Ｒ−１よりも２層ＤＶＤ−Ｒ２０の内周側に位置する。２層ＤＶＤ−Ｒ２０の半径方向における位置Ｒ−１と位置Ｓとの間の距離Ｌ２は、例えば約１０００ｈないし２３Ｅ０ｈであり、位置Ｓの物理セクタ番号が約３００００ｈないし４００００ｈ辺りであるときには、距離Ｌ２は例えば１０００ｈである。【００４２】
図４は、２層ＤＶＤ−Ｒ２０における互いに異なる記録層に複数のデータブロックが記録された状態を示している。２層ＤＶＤ−Ｒ２０には次のような制約的事項がある。すなわち、互いに異なる記録層に記録された２個のデータブロックの距離が所定距離以下でなければ、これらデータブロック間におけるシームレス再生が保証されない。この所定距離は例えば６５５３６セクタである。【００４３】
例えば、図４に示すように、第１記録層２１に記録されたデータブロックＤＢ１の末尾位置Ｔ−１と、第２記録層２２に記録されたデータブロックＤＢ２の先頭位置Ｕとの間の距離は、上記の所定距離（図４では「Ｌ３」として記載）以下である。したがって、データブロックＤＢ１とデータブロックＤＢ２とをこの順序で再生する場合、データブロックＤＢ１とデータブロックＤＢ２との間のシームレス再生が保証される。一方、第２記録層２２に記録されたデータブロックＤＢ２の末尾位置Ｖ−１と、第１記録層２１に記録されたデータブロックＤＢ３の先頭位置Ｗとの間の距離は、所定距離Ｌ３よりも大きい。したがって、データブロックＤＢ２とデータブロックＤＢ３とをこの順序で再生する場合、データブロックＤＢ２とデータブロックＤＢ３との間のシームレス再生は保証されない。【００４４】
図５は、記録装置１０におけるコンテンツデータの記録動作を示している。図６は、この記録動作により実現された、２層ＤＶＤ−Ｒ２０におけるコンテンツデータの記録状態を示している。【００４５】
記録装置１０は例えば次のようにしてコンテンツデータを２層ＤＶＤ−Ｒ２０に記録する。すなわち、ユーザがコンテンツデータを２層ＤＶＤ−Ｒ２０に記録すべき旨の指示を記録装置１０に入力する。これに応じて記録装置１０は、図５に示すように、まず、管理情報記録領域３１を確保する（ステップＳ１）。管理情報記録領域３１の確保は、領域確保部１１により行われる。【００４６】
図６に示すように、管理情報記録領域３１を確保する位置は、第１記録層２１のユーザデータ領域２４内部の最内周部分である。管理情報記録領域３１の内周側端部とリードイン領域２５の外周側端部とは隣接している。例えば、管理情報記録領域３１の先頭位置はＡであり、リードイン領域２５の末尾位置はＡ−１である。また、管理情報記録領域３１の大きさは、例えば約７１２Ｋバイトのデータを記録しうる大きさである。管理情報記録領域３１は、例えばファイルシステムおよびＶＭＧＩといった管理情報を記録するための領域である。なお、管理情報が管理情報記録領域３１に実際に記録される時期は、２層ＤＶＤ−Ｒ２０のファイナライズ時である。すなわち、ステップＳ１では、管理情報の記録は行われず、管理情報記録領域３１が確保（予約）されるだけである。ファイナライズ時において管理情報の記録が行われるまで、管理情報記録領域３１は未記録の状態が維持される。【００４７】
図５に示すように、記録装置１０は、続いて、調整データ記録領域３２に調整データＡＤを記録する（図５中のステップＳ２）。調整データＡＤの記録は、調整データ記録部１２により行われる。【００４８】
図６に示すように、調整データ記録領域３２は、第１記録層２１に存在し、管理情報記録領域３１の外周側外部に位置する。調整データ記録領域３２の内周側端部は管理情報記録領域３１の外周側端部と隣接していることが望ましい。管理情報記録領域３１と調整データ記録領域３２とを隣接させることにより、記録装置１０におけるデータ記録またはデータ管理を簡単化することができる。例えば、管理情報記録領域３１の末尾位置はＣ−１であり、調整データ記録領域３２の先頭位置はＣである。【００４９】
さらに、調整データ記録領域３２は、リードアウト領域２８とユーザデータ領域２７との境界位置Ｂ−１と交わり２層ＤＶＤ−Ｒ２０の軸線ＡＸ（図２参照）に対して平行に伸びる直線ＰＬと、第１記録層２１とが交わる位置Ｄをその内部に含む。つまり、調整データ記録領域３２は、リードアウト領域２８とユーザデータ領域２７との境界位置Ｂ−１の真下の位置Ｄをその内部に含む。【００５０】
さらに、リードアウト領域２８とユーザデータ領域２７との境界位置Ｂ−１と、調整データ記録領域３２の外周側端部位置（末尾位置）Ｅ−１に続く位置Ｅとの間には、光ビームの層間偏向の影響を除去ないし軽減することなどための所定距離Ｌ４が２層ＤＶＤ−Ｒ２０の半径方向において設定されている。この所定距離Ｌ４は、図３中の距離Ｌ１と等しく、例えば約２３Ｅ０ｈ（約９１８４）セクタである。これにより、調整データ記録領域３２の末尾位置Ｅ−１は、リードアウト領域２８とユーザデータ領域２７との境界位置Ｂよりも外周側に位置している。【００５１】
具体的には、図５中のステップＳ２において、調整データ記録部１２は、まず、管理情報記録領域３１に続く位置Ｃを認識する。続いて、調整データ記録部１２は、リードアウト領域２８とユーザデータ領域２７との境界位置Ｂ−１よりも２層ＤＶＤ−Ｒ２０の半径方向において所定距離Ｌ４離れた第１記録層２１の位置Ｅを算出する。続いて、調整データ記録部１２は、位置Ｃから位置Ｅ−１までの間に調整データＡＤを記録する。調整データＡＤはダミーデータであることが望ましい。もっとも、調整データＡＤの中身は、ダミーデータに限らず、コンテンツデータの一部でもよいし、他の管理情報でもよい。【００５２】
続いて、記録装置１０は、コンテンツデータの記録を行う（ステップＳ３ないしＳ５）。コンテンツデータの記録は、コンテンツデータ記録部１３により、レイヤージャンプレコーディング方式に従って行われる。すなわち、コンテンツデータ記録部１３は、コンテンツデータを複数のデータブロック＃１、＃２、＃３、＃４、…に分け、第１番目のデータブロック＃１を第１記録層２１に記録し、第２番目のデータブロック＃２を第２記録層２２に記録し、第３番目のデータブロック＃３を第１記録層２１に記録するといったように、１個のデータブロックを記録する度に、データブロックを記録すべき記録層を変更する。【００５３】
さらに、コンテンツデータ記録部１３は、以下に述べるような特別な規則に従ってコンテンツデータのレイヤージャンプレコーディングを行う。【００５４】
すなわち、コンテンツデータ記録部１３は、コンテンツデータをそれぞれ互いに均一な大きさを有する複数のデータブロックに分ける。【００５５】
さらに、第１番目のデータブロックを第１記録層２１に記録する場合、奇数番目のデータブロックとこれに続いて再生されるべき偶数番目のデータブロックとが２層ＤＶＤ−Ｒ２０の軸方向において（完全にではないが）互いに向かい合うように、これらのデータブロックを第１記録層２１および第２記録層２２にそれぞれ配置する。例えば、図６に示すように、データブロック＃１とデータブロック＃２とを互いに向かい合うように配置し、データブロック＃３とデータブロック＃４とを互いに向かい合うように配置する。【００５６】
さらに、２層ＤＶＤ−Ｒ２０の第１記録層２１と第２記録層２２とに軸方向において互いに向かい合うように配置された２個のデータブロックについて、第１記録層２１に配置されたデータブロックの末尾位置と第２記録層２２に配置されたデータブロックの先頭位置との間に、光ビームの層間偏向の影響を除去ないし軽減することなどための所定距離（例えば２３Ｅ０ｈ）を設定する。これにより、図６に示す例によれば、２層ＤＶＤ−Ｒ２０の半径方向において、データブロック＃１の末尾位置Ｆ−１とデータブロック＃２の先頭位置Ｇとの間の距離は２３Ｅ０ｈセクタとなる。そして、各データブロックの大きさは均一なので、２層ＤＶＤ−Ｒ２０の半径方向において、データブロック＃１の先頭位置Ｅとデータブロック＃２の末尾位置Ｂ−１との間の距離も２３Ｅ０ｈセクタとなる。さらに、２層ＤＶＤ−Ｒ２０の半径方向において、データブロック＃３の末尾位置Ｈ−１とデータブロック＃４の先頭位置Ｊとの間の距離も２３Ｅ０ｈセクタとなる。【００５７】
さらに、順次再生すべき２個のデータブロックの距離が所定距離Ｌ３（例えば６５５３６セクタ、図４参照）以下となるように、各データブロックの大きさを設定する。図６において、例えば、データブロック＃２の末尾位置Ｂ−１とデータブロック＃３の先頭位置Ｆとの間の距離が６５５３６セクタ以下となるように、各データブロックの大きさを設定する。【００５８】
ステップＳ３ないしＳ５におけるコンテンツデータの記録動作は具体的には次の通りである。まず、コンテンツデータ記録部１３は、データブロック＃１を第１記録層２１の位置Ｅから記録する（ステップＳ３）。続いて、コンテンツデータ記録部１３は、コンテンツデータを構成するすべてのデータブロックの記録を完了したか否かを判断する（ステップＳ４）。コンテンツデータを構成するすべてのデータブロックの記録を完了していないときには（ステップＳ４：ＮＯ）、コンテンツデータ記録部１３はレイヤージャンプを行い、光ビームの照射位置を第１記録層２１から第２記録層２２に移動させる（ステップＳ５）。続いて、コンテンツデータ記録部１３は、次に記録すべきデータブロック、すなわちデータブロック＃２を第２記録層２２の位置Ｇから記録する（ステップＳ３）。続いて、コンテンツデータ記録部１３は、コンテンツデータを構成するすべてのデータブロックの記録を完了したか否かを判断する（ステップＳ４）。コンテンツデータを構成するすべてのデータブロックの記録を完了していないときには（ステップＳ４：ＮＯ）、コンテンツデータ記録部１３はレイヤージャンプを行い、光ビームの照射位置を第２記録層２２から第１記録層２１に移動させる（ステップＳ５）。続いて、コンテンツデータ記録部１３は、次に記録すべきデータブロック、すなわちデータブロック＃３を第１記録層２２の位置Ｆから記録する（ステップＳ３）。このように、データブロックの記録とレイヤージャンプとを繰り返し実行し、コンテンツデータを構成するすべてのデータブロックの記録を完了したとき（ステップＳ４：ＹＥＳ）、記録装置１０におけるコンテンツデータの記録動作は完了する。【００５９】
以上説明した通り、記録装置１０は、コンテンツデータを、それぞれ互いに均一の大きさを有する複数のデータブロックに分け、このようなデータブロックについてレイヤージャンプレコーディングを行う。そして、第１記録層２１に記録するデータブロックと第２記録層２２に記録するデータブロックとを２層ＤＶＤ−Ｒ２０の軸方向において（完全ではないが）向かい合わせて配置する。これにより、第１記録層２１と第２記録層２２とにおけるコンテンツデータの分散が均一になる。したがって、２層ＤＶＤ−Ｒ２０に記録すべきまたは記録されたコンテンツデータの管理を簡単化することができる。それゆえ、記録装置１０に搭載されるレコーディングソフトウェアの開発の簡単化を図ることができる。【００６０】
また、記録装置１０は、第２記録層２２に最初に記録すべきデータブロック＃２を、その末尾位置Ｂ−１がリードアウト領域２８の先頭位置Ｂに隣接するように記録する。これにより、第２記録層２２のユーザデータ領域２７の最内周部分ぎりぎりまでコンテンツデータを記録することができる。つまり、ユーザデータ領域２７の最内周部分に半端な空き領域が形成されることがない。これにより、ユーザデータ領域２７を有効に活用することができる。それゆえ、２層ＤＶＤ−Ｒ２０の実際の記録容量が大幅に小さくなるのを防止することができ、レイヤージャンプレコーディング方式を採用しながら、２層ＤＶＤ−Ｒ２０の実際の記録容量を、２層ＤＶＤ−Ｒ２０の物理的最大記録可能容量（例えば約８．５Ｇバイト）に近づけることができる。【００６１】
さらに、記録装置１０は、第２記録層２２のユーザデータ領域２７の最内周部分ぎりぎりまでデータブロックを記録するために、第１記録層２１において、リードアウト領域２８とユーザデータ領域２７との境界位置Ｂ−１の真下に当たる位置Ｄを含む一定の範囲に、調整データＡＤを記録する。具体的には、記録装置１０は、図６に示すように、リードアウト領域２８とユーザデータ領域２７との境界位置Ｂ−１よりも２層ＤＶＤ−Ｒ２０の半径方向において所定距離Ｌ４離れた第１記録層２１の位置Ｅを算出し、位置Ｃから位置Ｅ−１までの間に調整データＡＤを記録する。これにより、ユーザデータ領域２７の最内周部分にコンテンツデータを記録するときに、光ビームの層間偏向の影響を除去ないし軽減することができ、ユーザデータ領域２７の最内周部分にコンテンツデータを安定的に記録することが可能になる。【００６２】
なお、上述した説明では、図６に示すように、管理情報記録領域３１と調整データ記録領域３２とを隣接させている。しかし、本発明はこれに限られない。図７に示すように、管理情報記録領域３１と調整データ記録領域３２とは隣接していなくてもよい。【００６３】
これについて具体的に検討すると、２層ＤＶＤ−Ｒ２０の多くは、リードイン領域２５とユーザデータ領域２４との境界位置Ａの物理セクタ番号が３００００ｈであり、リードアウト領域２８とユーザデータ領域２７との境界位置Ｂ−１の物理セクタ番号がＦＣＣ８ＦＦｈである。この場合、第１記録層２１の位置Ｅの物理セクタ番号は３３７０１ｈとなる。とすると、第１記録層２１の位置Ａと位置Ｅ−１との間の距離は３７００ｈセクタとなる。一方、管理情報記録領域３１の大きさは最大で約１５Ｂｈセクタ（７１２ｋバイト）である。また、第２記録層２２の位置Ｂ−１にデータを安定的に記録するためには、位置Ｂ−１の真下にある第１記録層２１の位置Ｄから内周側に１０００ｈセクタ離れた位置Ｋと、位置Ｄから外周側に（２３Ｅ０−１）ｈセクタ離れた位置Ｅ−１までの間に調整データＡＤを記録すればよい。したがって、調整データＡＤの大きさは１０００ｈ＋（２３Ｅ０−１）ｈ＝３３ＤＦｈセクタである。とすると、第１記録層２１の位置Ａから位置Ｅ−１までの間に確保すべき管理情報記録領域３１と調整データ記録領域３２との合計の大きさは、１５Ｂｈ＋３３ＤＦｈ＝３５３Ａｈセクタである。この大きさは、位置Ａと位置Ｅ−１との間の距離３７００ｈセクタよりも小さい。それゆえ、調整データＡＤの末尾位置を位置Ｅ−１に合わせるとすれば、図７に示すように、第１記録層２１の位置Ｃと位置Ｋ−１との間にゆとり領域３３を形成することができる。ゆとり領域３３の利用方法は、規格に反しない限り、特に限定されない。【００６４】
また、以上のような実施形態は、専用の装置としてハードウェアと一体的に構成する形態で実現してもよいし、コンピュータにプログラムを読み込ませることによって実現してもよい。以上のような実施形態を、コンピュータにプログラムを読み込ませることによって実現する場合には、図５に示す記録動作を実現するためのコマンドなどを記述したプログラムを作成し、このプログラムをコンピュータに読み込ませることによって、コンピュータ資源を、図１に示す領域確保部１１、調整データ記録部１２およびコンテンツデータ記録部１３として機能させる。【００６５】
また、図１において、領域確保部１１は領域確保手段の具体例であり、調整データ記録部１２は調整データ記録手段の具体例であり、コンテンツデータ記録部１３はコンテンツデータ記録手段の具体例である。また、図２中のリードイン領域２５は第１記録層の内周領域の具体例であり、リードアウト領域２８は第２記録層の内周領域の具体例である。また、図５において、ステップＳ１が領域確保工程の具体例であり、ステップＳ２が調整データ記録工程の具体例であり、ステップＳ３ないしＳ５がコンテンツデータ記録工程の具体例である。
【実施例】
【００６６】
図８は、本発明の記録装置の実施例を示している。図８中の記録装置１００は、テレビ放送局から送信されるテレビ番組などのコンテンツデータを受信し、これをハードディスクまたは２層ＤＶＤ−Ｒ２００に記録する記録装置であり、例えば、テレビチューナ・ハードディスクドライブ内蔵型ＤＶＤレコーダである。記録装置１００は、テレビ受信回路１０１、エンコーダ１０２、ハードディスクドライブ１０３、ディスク記録制御回路１０４、光ピックアップ１０５、デコーダ１０６、デジタル−アナログコンバータ１０７、１０８、ＣＰＵ１０９、ＲＯＭ１１０およびＲＡＭ１１１を備えている。【００６７】
記録装置１００は、例えば次のようにして、テレビ放送局から送信されたコンテンツデータをハードディスクに記録する。すなわち、テレビ受信回路１０１は、テレビ放送局から送信されたテレビ番組に対応するコンテンツデータを受信し、これをエンコーダ１０２に供給する。エンコーダ１０２は、テレビ受信回路１０１から供給されたコンテンツデータを所定のビットレートでエンコードし、これをハードディスクドライブ１０３に供給する。ハードディスクドライブ１０３は、エンコーダ１０２から供給されたコンテンツデータをハードディスクに記録する。【００６８】
記録装置１００は、例えば次のようにして、テレビ放送局から送信されたコンテンツデータを２層ＤＶＤ−Ｒ２００に記録する。すなわち、テレビ受信回路１０１は、テレビ放送局から送信されたテレビ番組に対応するコンテンツデータを受信し、これをエンコーダ１０２に供給する。エンコーダ１０２は、テレビ受信回路１０１から供給されたコンテンツデータを所定のビットレートでエンコードし、これをディスク記録制御回路１０４に供給する。ディスク記録制御回路１０４は、光ピックアップ１０５を制御し、エンコーダ１０２から供給されたコンテンツデータを２層ＤＶＤ−Ｒ２００に記録する。【００６９】
記録装置１００は、レイヤージャンプレコーディング方式により、コンテンツデータを２層ＤＶＤ−Ｒ２００に記録する。コンテンツデータのレイヤージャンプレコーディングを行うに当たり、記録装置１００は、図５に示す記録動作を行う。すなわち、ＲＯＭ１１０には、図５に示す記録動作を実現するためのプログラムが記憶されている。記録装置１００は、このプログラムをＣＰＵ１０９によって実行することにより、図５に示す記録動作を行う。記録装置１００がこの記録動作を行うとき、ＣＰＵ１０９、ＲＯＭ１１０、ＲＡＭ１１１およびディスク記録制御回路１０４などは、図１に示す領域確保部１１、調整データ記録部１２およびコンテンツデータ記録部１３として機能する。【００７０】
記録装置１００は、ハードディスクに記録されたコンテンツデータを再生する機能を有する。記録装置１００は、例えば次のようにして、ハードディスクに記録されたコンテンツデータを再生する。すなわち、ハードディスクドライブ１０３はハードディスクに記録されたコンテンツデータをデコーダ１０６に供給する。デコーダ１０６は、ハードディスクドライブ１０３から供給されたコンテンツデータをデコードし、デコードにより得られた映像データを映像用のデジタル−アナログコンバータ１０７に供給し、デコードにより得られた音声データを音声用のデジタル−アナログコンバータ１０８に供給する。デジタル−アナログコンバータ１０７は、デコーダ１０６から供給された映像データをアナログの映像信号に変換し、この映像信号を、例えば記録装置１００に接続されたディスプレイパネル（図示せず）に出力する。また、デジタル−アナログコンバータ１０８は、デコーダ１０６から供給された音声データをアナログの音声信号に変換し、この音声信号を、例えば記録装置１００に接続されたスピーカ（図示せず）に出力する。【００７１】
記録装置１００は、光ピックアップ１０５を制御して２層ＤＶＤ−Ｒ２００に記録されたコンテンツデータを読み取り、さらに、デコーダ１０６およびデジタル−アナログコンバータ１０７、１０８を制御して、読み取ったコンテンツデータを再生する機能を有する。【００７２】
なお、本発明は、請求の範囲および明細書全体から読み取るこのできる発明の要旨または思想に反しない範囲で適宜変更可能であり、そのような変更を伴う記録装置および記録方法並びにこれらの機能を実現するコンピュータプログラムもまた本発明の技術思想に含まれる。
【産業上の利用可能性】
【００７３】
本発明に係る記録装置および記録方法は、例えば２層ＤＶＤ−Ｒ等の多層記録ディスクに対してコンテンツデータなどの情報を記録する記録装置等に利用可能である。また、例えば民生用或いは業務用の各種コンピュータ機器に搭載される又は各種コンピュータ機器に接続可能な記録装置等にも利用可能である。
【図１】
0004618741.tif 000002
【図２】
0004618741.tif 000003
【図３】
0004618741.tif 000004
【図４】
0004618741.tif 000005
【図５】
0004618741.tif 000006
【図６】
0004618741.tif 000007
【図７】
0004618741.tif 000008
【図８】
0004618741.tif 000009